(57)【特許請求の範囲】
【請求項１】
互いに嵌合される雌雄のコネクタハウジングを備え、一方のコネクタハウジングの側面には、駆動溝の形成されたレバーが回動可能に軸支されて、前記駆動溝に他方のコネクタハウジングの側面に突設されたピンが係合され、前記レバーを回動することに伴うてこ作用により前記両コネクタハウジングの嵌合を助勢するようにしたレバー式コネクタにおいて、
前記レバーにおける前記駆動溝よりも外側の周縁には、表面側が削がれて薄肉となった張出部が形成されるとともに、前記他方のコネクタハウジングの側面には、前記レバーの回動時に前記張出部を潜らせつつ係止する受け部が形成されていることを特徴とするレバー式コネクタ。
【請求項２】
前記駆動溝の側縁には、表面側が削がれた薄肉の係止縁が形成されるとともに、前記ピンの突出端には前記係止縁と係止するフランジが形成されていることを特徴とする請求項１記載のレバー式コネクタ。
【請求項３】
前記受け部が前記ピンよりも嵌合方向の奥側に配され、前記ピンにおける少なくとも前記受け部と対向する側の面では前記フランジが切除されているとともに、前記受け部が前記ピンの位置を挟んだ両側に分かれて形成されていることを特徴とする請求項２記載のレバー式コネクタ。
【発明の詳細な説明】
【０００１】
【発明の属する技術分野】
本発明は、嵌合力を助勢すべくレバーを装備したレバー式コネクタに関するものである。
【０００２】
【従来の技術】
従来この種のレバー式コネクタとして、特開平４−６７５８２号公報に記載されたものが知られている。このものは、互いに嵌合される雌雄のコネクタハウジングのうちの一方のコネクタハウジングに、駆動溝の形成されたレバーが両側面を跨いで回動可能に軸支されているとともに、他方のコネクタハウジングの両側面にピンが立てられた構造であって、両ピンを対応する駆動溝に係合してレバーを回動したときのてこ作用により、両コネクタハウジングの嵌合と離脱操作を助勢するようになっている。
一方この種のレバー式コネクタでは、レバーを回動操作した場合に軸支部分にこじるような力が作用して、レバーが開きつつ軸から外れるおそれがあり、これを防止するために、レバーの装着面の外側にフードを形成してレバーを押さえるようにしていた。
【０００３】
【発明が解決しようとする課題】
しかしながら、上記のようにフードを形成することでレバーの外れ止めを行うものでは、フードを設けた分コネクタの厚みが増して、嵩高となる欠点があった。
本発明は上記のような事情に基づいて完成されたものであって、その目的は、コネクタの嵩高を招くことなくレバーの外れ止めを行うところにある。
【０００４】
【課題を解決するための手段】
上記の目的を達成するための手段として、請求項１の発明は、互いに嵌合される雌雄のコネクタハウジングを備え、一方のコネクタハウジングの側面には、駆動溝の形成されたレバーが回動可能に軸支されて、前記駆動溝に他方のコネクタハウジングの側面に突設されたピンが係合され、前記レバーを回動することに伴うてこ作用により前記両コネクタハウジングの嵌合を助勢するようにしたレバー式コネクタにおいて、前記レバーにおける前記駆動溝よりも外側の周縁には、表面側が削がれて薄肉となった張出部が形成されるとともに、前記他方のコネクタハウジングの側面には、前記レバーの回動時に前記張出部を潜らせつつ係止する受け部が形成されている構成としたところに特徴を有する。
【０００５】
請求項２の発明は、請求項１に記載のものにおいて、前記駆動溝の側縁には、表面側が削がれた薄肉の係止縁が形成されるとともに、前記ピンの突出端には前記係止縁と係止するフランジが形成されているところに特徴を有する。
請求項３の発明は、請求項１または請求項２に記載のものにおいて、前記受け部が前記ピンよりも嵌合方向の奥側に配され、前記ピンにおける少なくとも前記受け部と対向する側の面では前記フランジが切除されているとともに、前記受け部が前記ピンの位置を挟んだ両側に分かれて形成されているところに特徴を有する。
【０００６】
【発明の作用及び効果】
＜請求項１の発明＞
レバーが回動操作される際、薄肉の張出部が相手のコネクタハウジングの受け部に潜り込むことで、レバーの外れ止めがなされる。レバーの係止が相手のコネクタハウジングに設けられた受け部により行われ、しかも受け部は薄肉の張出部を潜り込ませるようになっているから、受け部がコネクタハウジングの側面からの突出する量もせいぜいレバーの肉厚と同程度に抑えられる。もってレバーの外れ止めを確実に行った上で、コネクタを小嵩にまとめることができる。
＜請求項２の発明＞
駆動溝の係止縁がピンのフランジに係止されることで、レバーの外れ止めがより確実になされる。
【０００７】
＜請求項３の発明＞
ピンにおける受け部と対向した側と、分かれた受け部の間の領域では、コネクタハウジングの側面と直角な方向にアンダーカットができない。したがって、ピン並びに受け部を設けた側のコネクタハウジングを成形する際、分かれた受け部の間の領域から、ピンの受け部と対向した側にわたっては、コネクタハウジングの側面と直角な方向に進退する抜き型を用い、その他の部分は、コネクタハウジングの嵌合方向に沿って接離する成形型を用いることで成形できる。すなわち、アンダーカットを有するピンや受け部を有するコネクタハウジングを成形するに際しても、簡単な成形型を用いて成形することができる。
【０００８】
【発明の実施の形態】
以下、本発明の一実施形態を図１ないし図５に基づいて説明する。
この実施形態では、図１に示すように、互いに嵌合される雄側のコネクタハウジング１０（以下、雄ハウジングという）と、雌側のコネクタハウジング２０（以下、雌ハウジングという）とを備えている。
なお以下では、それぞれのハウジング１０，２０において嵌合端側を前端として説明する。
【０００９】
雄ハウジング１０は基板取付型のものであって、図２にも示すように、横長の長方形をなす本体板１１を有し、その前面の長さ方向の一側に寄った位置に、横長のほぼ角筒形をなすフード部１２が突設されている。フード部１２内には、複数のタブ状の雄側端子金具１４が上下二段に整列して奥壁から突設されており、各雄側端子金具１４の後端は本体板１１の後面側に突出している。この雄ハウジング１０は図示しないプリント配線基板に取り付けられ、上記の各雄側端子金具１４の後端はプリント配線基板上の導電路に接続されるようになっている。
【００１０】
一方の雌ハウジング２０は、同じく横長の長方形をなす本体板２１を有し、その前面に、上記した雄ハウジング１０のフード部１２内に嵌合可能な端子収容部２２が突設されている。この端子収容部２２には、上記の雄側端子金具１４の配列と対応してキャビティが形成されており、各キャビティ内に図示しない電線の端末に固着された雌側端子金具が後面側から挿入されて収容され、端子収容部２２がフード部１２に嵌合されることで、対応した雄側端子金具１４と嵌合接続されるようになっている。
【００１１】
雌ハウジング２０の本体板１１の後面には、カバー２５が取り付けられている。このカバー２５は、隣接した二面が導入口２６と導出口２７として開口されており、導入口２６が本体板２１の後面に取り付けられ、各キャビティから引き出された電線を側方に屈曲させた状態でまとめて収め、その電線群を導出口２７から両ハウジング１０，２０の嵌合方向と直交する方向に導き出すようになっている。なお、カバー２５の導出口２７を設けた面と反対側の面には、後記するレバー体３０を逃がすための傾斜面２８が形成されている。
【００１２】
雌ハウジング２０には、両ハウジング１０，２０の嵌合並びに離脱を助勢するためのレバー体３０が装着されている。
レバー体３０は詳細には、板状で対称形状をなす一対のレバー３１を備えており、このレバー３１の平面形状は、ほぼ円形をなす駆動部３２の外周の一部からアーム３３が突設された形状となっており、図３にも示すように、両アーム３３の先端同士の間が操作部３４で連結されて、全体として門型をなすレバー体３０が一体形成されている。
【００１３】
このレバー体３０は、両レバー３１が雌ハウジング２０からカバー２５にわたる長辺側の側面を挟むようにして配設される。各レバー３１の駆動部３２の中心付近には軸受孔３６が開口されている一方、カバー２５の側面における取付縁に寄った位置には軸３５が立てられており、軸受孔３６に軸３５が嵌合されることで、レバー体３０は軸３５を中心として、図１に示す待機位置と、図５に示す嵌合完了位置との間で回動可能に支持されている。
【００１４】
待機位置では、操作部３４がカバー２５の後面に当たって図１の時計回り方向の回動が規制され、また、カバー２５の側面に突設された丸形の第１突部３７Ａが、アーム３３の第１係止孔３７Ｂに嵌まることで保持される。
一方、嵌合完了位置では、アーム３３の先端側がカバー２５の側面に突設されたストッパ３８に当たって図５の反時計回り方向の回動が規制され、またストッパ３８のすぐ後方に突設された角形の第２突部３９Ａが、アーム３３の第２係止孔３９Ｂに嵌まることで保持されるようになっている。
【００１５】
レバー３１の駆動部３２には、所定の曲線状をなすカム溝４０が形成され、その入口４１が外縁に開口している。レバー３１が上記した待機位置にある場合には、図１に示すように、カム溝４０の入口４１は、軸３５の前方に位置して前面に開口する設定となっている。なお、入口４１の表面側は、薄肉の閉鎖部４２で覆われている。
一方、雄ハウジング１０側では、フード部１２の長辺側の両面における長さ方向の中央部の突出縁付近に、上記したカム溝４０に緊密に嵌合可能なフォロワピン４４が立てられている。フォロワピン４４の高さは、カム溝４０に嵌まった場合に、その上端がレバー３１の表面と面一となる寸法である。
【００１６】
さて、上記したレバー３１の駆動部３２におけるカム溝４０の回りに位置する外縁には、表面側が削がれておよそ半分の肉厚とされた張出部４５が、所定寸法張り出して形成されている。
一方、フード部１２の長辺側の両面の基端側には受け部４７Ａ，４７Ｂが設けられている。この受け部４７Ａ，４７Ｂは詳細には、上記したフォロワピン４４を間に挟んで左右に分かれて形成されており、両ハウジング１０，２０が嵌合された場合に、その表面がレバー３１の表面とほぼ面一となる高さを有している。また、両受け部４７Ａ，４７Ｂにわたる前面が、上記したレバー３１の駆動部３２における張出部４５の形成された部分の外縁に倣ったほぼ円弧状に形成されている。そして両受け部４７Ａ，４７Ｂにわたって、レバー３１の張出部４５を潜らせつつ摺動させることが可能なガイド溝４８が形成されている。
【００１７】
また、レバー３１のカム溝４０における内側の側縁には、同じく表面側が削がれて薄肉となった所定幅の係止縁５０が形成されている。
一方、上記したフォロワピン４４の上端にはフランジ５１が形成されている。ただし、このフランジ５１は、前面側の半周分にだけ形成され、かつ一側の一部が斜めに切除されている。このフランジ５１は、フォロワピン４４がカム溝４０内を移動する間、係止縁５０の上に載り、言い換えると、係止縁５０がフランジ５１に係止されるようになっている。
【００１８】
ここで、受け部４７Ａ，４７Ｂがフォロワピン４４を挟んで左右に分けられ、またフォロワピン４４の前面側にのみフランジ５１が設けられているのは、主に雄ハウジング１０を成形する際の成形型の簡素化を図るためであり、以下それについて説明する。
まず雄ハウジング１０は基本的には、嵌合方向（前後方向）に沿って開閉する成形型によって成形されるが、フォロワピン４４の後方部分は、紙面の表裏方向に移動する抜き型を用いて成形する必要がある。
ここで例えば、ガイド溝４８の形成された受け部４７Ａ，４７Ｂが一連に繋がって形成され、またフォロワピン４４の後面側にもフランジ５１があると、フォロワピン４４と受け部４７Ａ，４７Ｂと間の領域では、紙面の表裏方向にアンダーカットができる。そのため、単に紙面の表裏方向に移動する抜き型のみでは足らず、この抜き型にアンダーカット部分を成形すべく前後方向に移動する別の成形型を付設する必要があり、すなわち型構造が複雑化する。
【００１９】
その点この実施形態では、既述したように受け部４７Ａ，４７Ｂがフォロワピン４４を挟んで左右に分けられ、かつフォロワピン４４の前面側にのみフランジ５１が設けられているから、例えば図１の鎖線で示したように、フォロワピン４４の後面側から両受け部４７Ａ，４７Ｂの間にわたる領域Ｘでは、紙面の表裏方向についてはアンダーカットができない。
したがって雄ハウジング１０を成形する際、上記の領域Ｘについては、単に紙面の表裏方向に移動する抜き型を用い、他の部分は前後方向に開閉する成形型を用いて成形することができる。すなわち、簡単な型構造でもって雄ハウジング１０を成形することができる。
【００２０】
本実施形態は上記のような構造であって、続いてその作用を説明する。
両ハウジング１０，２０を嵌合する場合は、図１に示すようにレバー体３０を待機位置に保持する。このときカム溝４０の入口４１は前方に向けて開口する。係る状態から、同図の矢線に示すように、雌ハウジング２０の端子収容部２２を、雄ハウジング１０のフード部１２内に嵌合する。そうすると、フォロワピン４４がカム溝４０の入口４１に入り込み、フランジ５１が係止縁５０の上に載る。また、レバー３１の張出部４５のうちの前端側が、図１における左側の受け部４７Ａのガイド溝４８内に潜り込む。
【００２１】
次に、待機位置にあったレバー体３０を、図４の反時計回り方向に回動させる。そうすると、同図に示すように、フォロワピン４４がカム溝４０の奥側に向けて次第に引き込まれ、その間のてこ作用によって両ハウジング１０，２０が互いに引き寄せられる。この間、カム溝４０の係止縁５０がフォロワピン４４のフランジ５１の下面側に係止され、またレバー３１の張出部４５は、左側の受け部４７Ａからさらには右側の受け部４７Ｂのガイド溝４８内に潜り込みつつ移動する。レバー体３０が、図５に示すように嵌合完了位置まで回動されると、両ハウジング１０，２０が正規に嵌合された状態となる。
【００２２】
両ハウジング１０，２０を離脱させる場合は、図５に示す状態からレバー体３０を時計回り方向に回動させると、フォロワピン４４がカム溝４０の入口４１に向けて次第に押し出され、その間のてこ作用により、両ハウジング１０，２０が次第に引き離される。この間同様に、カム溝４０の係止縁５０はフォロワピン４４のフランジ５１の下を通り、またレバー３１の張出部４５は受け部４７Ａ，４７Ｂのガイド溝４８に潜り込んで移動する。レバー体３０が待機位置まで回動されると、フォロワピン４４が前方に開口したカム溝４０の入口４１に至るので、続いて雌ハウジング２０を引き抜くことで両ハウジング１０，２０を離脱させることができる。
【００２３】
以上説明したように本実施形態によれば、レバー体３０が回動操作される間、レバー３１の外縁に形成された薄肉の張出部４５が受け部４７Ａ，４７Ｂのガイド溝４８に潜り込み、さらに、カム溝４０に形成された係止縁５０がフォロワピン４４のフランジ５１の下側に係止される。このため、両レバー３１に開くような力が作用したとしても、軸３５の部分から抜けて外れてしまうといったことが防止される。
特に受け部４７Ａ，４７Ｂは、レバー体３０を設けた側と反対の雄ハウジング１０側に設けられ、しかも薄肉の張出部４５を潜り込ませるようになっているから、受け部４７Ａ，４７Ｂが雄ハウジング１０（フード部１２）の側面から突出する量も、せいぜいレバー３１の肉厚と同程度に抑えられ、もってコネクタ全体を小嵩にまとめることができる。
また、レバー３１のカム溝４０の部分が外部に露出していて、嵌合操作中にフォロワピン４４の位置等が目視できるから、嵌合状態が良く判って作業がしやすくなる。
【００２４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）レバーを上記実施形態とは逆に雄ハウジング側に設けたものにも、本発明同様に適用可能である。
（２）また本発明は、通常のワイヤ−ワイヤのコネクタにも適用することができる。
【図面の簡単な説明】
【図１】本発明の一実施形態に係る雌雄のハウジングの嵌合前の平面図
【図２】雄ハウジングの正面図
【図３】雌ハウジングの背面図
【図４】両ハウジングの嵌合途中の平面図
【図５】両ハウジングの嵌合完了時の平面図
【符号の説明】
１０…雄ハウジング
２０…雌ハウジング
２５…カバー
３０…レバー体
３１…レバー
３２…駆動部
３４…操作部
３５…軸
３６…軸受孔
４０…カム溝（駆動溝）
４４…フォロワピン（ピン）
４５…張出部
４７Ａ，４７Ｂ…受け部
４８…ガイド溝
５０…係止縁
５１…フランジ
【図１】
0003562405.tif 000002
【図２】
0003562405.tif 000003
【図３】
0003562405.tif 000004
【図４】
0003562405.tif 000005
【図５】
0003562405.tif 000006